(57)【特許請求の範囲】
【請求項１】
陳列棚上に該陳列棚の前後方向に延在して載置固定され、商品が陳列棚の前後方向に整列して載置される陳列台と、前記陳列台に該陳列台の長手方向に移動可能に設けられ、前記陳列台上の整列商品の後方から押圧して該整列商品を陳列台の前端方向へ移動させる商品押圧体を備える商品陳列具であって、前記商品押圧体は、前記陳列台に移動可能に取り付けられた基部から陳列台の上方に向け延在する主押圧部材を有し、前記主押圧部材に前記商品との押圧面積を増減させるか又は前記商品からの負荷を増減させる補助押圧手段を設けたことを特徴とする商品陳列具。
【請求項２】
前記補助押圧手段は、少なくとも１つの板材から成形され、該板材は前記主押圧部材の商品と対向する面に沿って当該面から突出する方向に移動される構成にしたことを特徴とする請求項１記載の商品陳列具。
【請求項３】
前記補助押圧手段を構成する板材は、該板材に設けた結合ピンを前記主押圧部材に形成した長孔に係合することにより主押圧部材に結合され、前記結合ピンを中心にして板材を回動することにより、もしくは前記長孔に沿って板材を移動することにより商品に対する押圧面積を変化させることを特徴とする請求項２記載の商品陳列具。
【請求項４】
前記商品押圧体は、付勢手段により前記陳列台の整列商品を陳列台の先端方向に移動するように構成されることを特徴とする請求項１記載の商品陳列具。
【発明の詳細な説明】
【０００１】
【発明の属する技術分野】
本発明は、商品を前後方向に整列して陳列する商品陳列棚において、陳列された商品が前方から抜き取られるのに応じて、後方の商品を前方に移動させる商品陳列具に関し、特に整列された商品を後方から押圧する商品押圧体の商品に対する押圧面積を変更できるようにした商品陳列具に関するものである。
【０００２】
【従来の技術】
従来、商品を前後方向に整列して陳列する商品陳列棚において、陳列された商品が前方から抜き取られるのに応じて、後方の商品を前方に移動させる商品陳列具としては、実開平１−１３３４４９号公報に開示するものが知られている。
この種の商品陳列具は、陳列棚板上にその前後方向に沿って載置固定される陳列台を備え、この陳列台には、該陳列台の上面から略鉛直に伸びる商品押圧体を陳列台の長手方向に移動可能に設け、さらに、商品押圧体の基部と陳列台の先端間にはコイルスプリングを掛け渡し、このコイルスプリングで商品押圧体を陳列台の先端方向へ移動できるように付勢することにより、陳列台上の最前端の商品を抜き取るごとに、残りの整列商品を前方へ自動的に移動できるようになっている。
【０００３】
【発明が解決しようとする課題】
ところで、上記のような従来の商品陳列具に使用される商品押圧体の形状及び大きは、陳列台上に整列される商品の種類及び大きさに適合する固定の形に形成されているのが普通である。このため、例えば、缶やビン等の商品用に形成された商品押圧体を備える商品陳列具をスナック菓子等の袋物商品のような横寸法の大きい商品の陳列に使用した場合、袋物商品に対する商品押圧体の押圧面積が小さくなるため、この商品押圧体で陳列台上に整列された袋物商品を後方から押圧すると、商品押圧体に接する商品に局部的な荷重が作用し、その結果、袋物商品の内容物がスナック菓子等のような場合には、その内容物が破損されるおそれがある。また、上記のような従来の固定された押圧面積の商品押圧体を使用する商品陳列具では、商品陳列具に陳列し得る商品の種類が限定されてしまい、商品に適合する各種の商品押圧体を備えた商品陳列具を多数用意しておく必要があるとともに、その分、商品の陳列コストが上昇し、商品陳列具の保管管理も面倒になるという問題があった。
【０００４】
従って、本発明の目的は、商品を後方から押圧する商品押圧体の押圧面積を陳列される商品の形状や大きさに応じて変更できる商品陳列具を提供することにある。
【０００５】
【課題を解決するための手段】
上記目的を達成するために本発明の請求項１に記載の発明は、陳列棚上に該陳列棚の前後方向に延在して載置固定され、商品が陳列棚の前後方向に整列して載置される陳列台と、前記陳列台に該陳列台の長手方向に移動可能に設けられ、前記陳列台上の整列商品の後方から押圧して該整列商品を陳列台の前端方向へ移動させる商品押圧体を備える商品陳列具であって、前記商品押圧体は、前記陳列台に移動可能に取り付けられた基部から陳列台の上方に向け延在する主押圧部材を有し、前記主押圧部材に前記商品との押圧面積を増減させるか又は前記商品からの負荷を増減させる補助押圧手段を設けたことを特徴とする。
【０００６】
請求項２に記載の発明は、前記補助押圧手段が、少なくとも１つの板材から成形され、該板材は前記主押圧部材の商品と対向する面に沿って当該面から突出する方向に移動される構成にしたことを特徴とする。
請求項３に記載の発明は、前記補助押圧手段を構成する板材が、該板材に設けた結合ピンを前記主押圧部材に形成した長孔に係合することにより主押圧部材に結合され、前記結合ピンを中心にして板材を回動することにより、もしくは前記長孔に沿って板材を移動することにより商品に対する押圧面積を変化させることを特徴とする。
請求項４に記載の発明は、前記商品押圧体が、付勢手段により前記陳列台の整列商品を陳列台の先端方向に移動するように構成されることを特徴とする。
【０００７】
本発明においては、補助押圧手段により商品に対する商品押圧体の押圧面積を増減できるから、商品の形状や大きさに合わせて商品に対する商品押圧体の押圧面積を最適に設定できる。
【０００８】
【発明の実施の形態】
本発明の実施の形態について、図１〜図６を参照して説明する。
図１は本発明の実施の形態における商品陳列具の要部の構成を示す斜視図、図２は図１における商品押圧本体の正面図、図３は図２の右側面図、図４は図３の背面図、図５は商品押圧本体の分解斜視図、図６は本発明の実施の形態における商品陳列具の一例を示す断面図である。
【０００９】
図１〜図６において、商品陳列具１０は、商品Ａを陳列棚１１の前後方向に沿い整列した状態に載置する陳列台１２と、この陳列台１２上にその長手方向に移動可能に設けた商品押圧体１３等を備える。
陳列台１２は、陳列棚１１の前後方向に延在する長さを有する合成樹脂製のチャンネル材から構成されるもので、陳列棚１１上にその前後方向に沿い載置され、図示省略したマグネットなどの固定手段により陳列棚１１上に着脱可能に固定できる構成になっている。陳列台１２の上面には、商品押圧体１３を陳列台１２の長手方向に沿って移動可能に案内するガイド用長穴１２１が形成されている。
【００１０】
商品押圧体１３は陳列台上の整列商品を後方から陳列台の前端側へ移動させるもので、合成樹脂材から成形され、陳列台１２の上面と摺接する基部１３１と、この基部１３１から陳列台１２の上方に向け延在し、長方形状の第１商品押圧面１３２Ａと第２商品押圧面１３２Ｂを有する主押圧部材１３２を備えている。さらに、基部１３１の下面には、陳列台１２のガイド用長穴１２１の相対向する両縁部１２１Ａにそれぞれ摺動可能に係合する係合溝１３３が形成されており、この両係合溝１３３をガイド用長穴１２１の相対向する両縁部１２１Ａに係合することにより、商品押圧体１３を陳列台１２の長手方向に沿って移動可能に支持できる構成になっている。また、基部１３１の下面には、図６に示すように、ガイド用長穴１２１を通して陳列台１２内に突出する突部１４が形成されており、この突部１４と陳列台１２の前端間にコイルばね１５（付勢手段）を掛け渡すことにより、商品押圧体１３が陳列台１２の前端方向に移動できるように付勢されている。また、主押圧部材１３２の商品Ａと対向する第２商品押圧面１３２Ｂには、商品Ａに対する押圧面積を商品の大きさに応じて変化させる補助押圧部材（補助押圧手段）１３４が設けられている。
【００１１】
補助押圧部材１３４は、合成樹脂材から成形された長方形状の板材から成形され、この補助押圧部材１３４は第２商品押圧面１３２Ｂに重ね合わされる状態に配置され、この補助押圧部材１３４の一部を主押圧部材１３の第２商品押圧面１３２Ｂに沿い当該商品押圧面１３２Ｂから突出する方向に移動することにより、商品Ａに対する押圧面積を押圧される商品の大きさ、すなわち商品の高さまたは横幅寸法に応じて変化できるようになっている。
このために、上記補助押圧部材１３４は、該補助押圧部材１３４の一端部に突設した結合ピン１３５を主押圧部材１３２に形成した長孔１３６に挿通し、かつこの結合ピン１３５の突出先端を止め具１３７に係止することにより、補助押圧部材１３４を主押圧部材１３２に回動可能にかつ長孔１３６に沿い移動可能に結合し、この結合ピン１３５を中心にして補助押圧部材１３２を回動することにより、もしくは長孔１３６に沿って補助押圧部材１３２を移動することにより商品に対する押圧面積を変化させるようになっている。
【００１２】
このように構成された商品陳列具１０において、陳列棚１１上にセットされた商品陳列具１０の陳列台１２上に商品Ａを載置する場合は、まず、商品押圧体１３をコイルばね１５に抗して陳列台１２の後端まで移動する。かかる状態で、商品押圧体１３と陳列棚１１の前端に設けた商品前倒れ防止部材１６（図６参照）間に複数の商品Ａを整列して載置し、商品押圧体１３の後方への拘束力を解除する。これにより、商品押圧体１３はコイルばね１５のばね力で陳列台１２上の整列商品を前方へ押圧する。
この状態で、最前端にある商品Ａを抜き取ると、陳列台１２上の整列商品は抜き取られた商品個数に応じて商品前倒れ防止部材１６に突き当たるまで前方へ移動される。以下、商品Ａが抜き取られる毎に上記の動作が繰り返し行われる。
【００１３】
一方、陳列台１２上に載置される商品Ａの形状及び大きさに応じて、該商品を押圧する商品押圧体１３の押圧面積を変更する場合、例えば、陳列台１２上に載置される商品がスナック菓子等の袋物商品のように幅寸法が大きくなって、第１商品押圧面１３２Ａと第２商品押圧面１３２Ｂのみの主押圧部材１３２では商品の押圧に支障を来す場合は、図１及び図２の２点鎖線に示すように、結合ピン１３５を中心にして補助押圧部材１３４を主押圧部材１３２に対して９０度の角度、または図２に示すように、主押圧部材１３２に対して４５度の角度に回動させる。これにより、袋物商品に対する押圧面積を、主押圧部材１３２の第１商品押圧面１３２Ａと第２商品押圧面１３２Ｂに補助押圧部材１３４の押圧面積を加えた大きさの押圧面積に変更することができる。
また、主押圧部材１３２の高さ寸法では不足する背の高い商品を押圧する場合は、補助押圧部材１３４を主押圧部材１３２の長孔１３６に沿って図２の２点鎖線１８に示すように上方に移動させ、商品押圧体１３全体の高さを伸張することにより、商品押圧体１３の押圧面積を商品の高さ寸法に合った大きさの押圧面積に変更することができる。
【００１４】
従って、本実施の形態によれば、横幅寸法の大きな袋物商品の前出しに際し、当該袋物商品に対する商品押圧体１３の押圧面積を補助押圧部材１３４により拡大できるから、袋物商品に対する押圧力が分散され、これに伴い、袋物商品の内容物がスナック菓子等のような破損され易いものであっても、その内容物が破損されることがなく、商品を安全に前出しすることができる。また、主押圧部材１３２の高さ寸法では不足する背の高い商品の前出しに際しては、補助押圧部材１３４を主押圧部材１３２から上方へ伸張することにより、商品押圧体１３の押圧面積を商品の高さ寸法に合った大きさの押圧面積に変更することができる。
これにより、商品に対する商品押圧体の押圧面積を増減でき、商品の形状や大きさに合わせて商品に対する商品押圧体の押圧面積を最適に設定できる。
また、商品押圧体１３の押圧面積を変更できる補助押圧部材１３４を設けることにより、単一の商品陳列具を高さや幅寸法等の形状の異なる種類の商品に兼用することができる。これに伴い、従来のように商品の形状が異なるごとに商品陳列具の種類を変える必要がなくなり、少ない種類の商品陳列具で済むほか、商品の陳列コストを大幅に低減することができ、かつ商品陳列具の保管管理も容易になる。
【００１５】
なお、上記の実施の形態では、商品押圧体１３をコイルばね１５により陳列台１２の前端方向に移動できるように付勢して、商品を自動的に前出しする場合について説明したが、本発明はこれに限定されず、陳列台上の整列商品を陳列台の先端方向に移動できるように陳列台に引き出し杆を陳列台の長手方向に沿って摺動可能に設け、この引き出し杆を陳列台の前方へ引き出すことにより、商品押圧体を陳列台の前端方向へ移動させ、陳列台上に整列された商品を手動で前出しするようにした手動式の商品陳列具にも本発明の商品押圧体１３を同様に適用することができる。
【００１６】
また、本発明における商品押圧体１３の商品に対する押圧面積の変更する補助押圧手段は、上記実施の形態に示すように、１枚の板材から形成される構成のものに限定されない。例えば、補助押圧手段を複数の板材を結合ピンにより主補助押圧部材に回動可能に取り付け、この複数の板材を扇状に展開することにより、商品押圧体１３の商品に対する押圧面積を拡大変更できるようにしてもよい。
【００１７】
また、本発明における商品押圧体１３の商品からの負荷を増減させる補助押圧手段としては、例えば、補助押圧板等の補助押圧手段が直立姿勢から徐々に後ろ倒し状態となるような形態のものであれば、特に制限されず、例えば、主押圧部材に対し補助押圧手段をヒンジ構造により取り付け、水平面と補助押圧手段とで形成される角度を調整できる構造としもよい。
【００１８】
【発明の効果】
以上説明したように本発明の商品陳列具によれば、商品に対する商品押圧体の押圧面積や受圧力を陳列される商品の形状や大きさに応じて変更できるから、陳列台に整列される商品の形状や大きさが変わっても、これに合わせて商品に対する商品押圧体の押圧面積や受圧力を変更することができる。これに伴い内容物が破損され易い商品であっても、内容物が破損されることがなく、商品を安全に前出しすることができるほか、単一の商品陳列具を形状や大きさの異なる種類の商品に兼用することがで、かつ少ない種類の商品陳列具で済むため、商品の陳列コストを大幅に低減することができ、商品陳列具の保管管理も容易にできるという効果を有する。
【図面の簡単な説明】
【図１】本発明の実施の形態における商品陳列具の要部の構成を示す斜視図である。
【図２】図１における商品押圧本体の正面図である。
【図３】図２の右側面図である。
【図４】図３の背面図である。
【図５】本発明の実施の形態における商品押圧本体の分解斜視図である。
【図６】本発明の実施の形態における商品陳列具の一例を示す断面図である。
【符号の説明】
１０      商品陳列具
１１      陳列棚
１２      陳列台
１３      商品押圧体
１４      突部
１５      コイルばね（付勢手段）
１６      商品前倒れ防止部材
１２１    ガイド用長穴
１２１Ａ  両縁部
１３１    基部
１３２    主押圧部材
１３２Ａ  第１商品押圧面
１３２Ｂ  第２商品押圧面
１３３    係合溝
１３４    補助押圧部材（補助押圧手段）
１３５    結合ピン
１３６    長孔
１３７    止め具
【図１】
0004124515.tif 000002
【図２】
0004124515.tif 000003
【図３】
0004124515.tif 000004
【図４】
0004124515.tif 000005
【図５】
0004124515.tif 000006
【図６】
0004124515.tif 000007